(57)【特許請求の範囲】
【請求項１】
本体（１０）を有し、本体（１０）の一側に握持部（２０）が上下方向に活動可能に枢設され、本体（１０）の両側における上下部にそれぞれ腕部及び手部を位置決めするための上部位置決め板（１１）及び下部位置決め板（１２）が設けられ、上部位置決め板（１１）上に凸座（１３）が設けられ、凸座（１３）の内部にその長手方向に沿って一方向のみ開口している収納空間（１４）が形成され、その収納空間（１４）の封止端に貫通孔（１４１）が形成され、収納空間（１４）の内部に付勢力調整装置（３０）が組み合わされ、その付勢力調整装置（３０）は管体（３１）と、管体（３１）の内部に設置される当接ブロック（３２）、ワイヤ（３３）及びスプリング（３４）から構成され、ワイヤ（３３）は本体（１０）における貫通孔（１４１）を挿通して、握持部（２０）に連結される腕力訓練器であって、
本体（１０）における凸座（１３）の外周面に、少なくとも長手方向に沿って階段状に調整空間（１６）が形成されると共に、調整空間（１６）内に複数の段階部（１６１）が形成され、各段階部（１６１）にそれぞれ位置決め凹部（１６２）が形成され、
管体（３１）の内部に一方のみ開口している長孔（３１１）が形成され、その長孔（３１１）の開口端の内周面に、中央へ所定幅狭めることによりスプリング（３４）の一端を位置決めする凸縁（３１２）が設けられると共に、凸縁（３１２）が設けられる管体（３１）の外周面に、本体（１０）における調整空間（１６）と対応し、且つ所定幅を有する少なくとも一つの凸ブロック（３１４）が設けられ、その凸ブロック（３１４）は管体（３１）の収納空間（１４）内での移動に連動して、調整空間（１６）内の各段階部（１６１）に位置し、管体（３１）に設けられる凸ブロック（３１４）を常に収納空間（１４）内に位置するために、凸座（１３）における収納空間（１４）の開口端に固定ナット（４０）が螺設されることを特徴とする腕力訓練器。
【請求項２】
凸座（１３）の上面から両側面に亙って嵌合部（１５）が形成され、その嵌合部（１５）に、嵌合部（１５）の形状と対応する透明のカバー体（５０）が取付けられることを特徴とする請求項１に記載の腕力訓練器。
【発明の詳細な説明】
【０００１】
【産業上の利用分野】
本発明は運動器具に属し、特に使用者の好みに合せて容易に付勢力を調整することができる腕力訓練器に関するものである。
【０００２】
【従来の技術】
従来の「小型腕力訓練器」の構造は図１に示すように、本体（１）の一側に上下方向に活動可能な握持部（２）が枢設され、本体（１）の両側における上下部にそれぞれ腕部及び手部を位置決めするための上部位置決め板（１ａ）及び下部位置決め板（１ｂ）が設けられ、上部位置決め板（１ａ）上に凸座（１ｃ）が設けられ、凸座（１ｃ）の内部にその長手方向に沿って一方向のみ開口している収納空間（１ｄ）が形成され、その収納空間（１ｄ）の封止端に貫通孔（１ｅ）が形成され、その開口側端の外周面にネジ山（１ｆ）が設けられ、更に、収納空間（１ｄ）の内部に付勢力調整装置（３）が組み合わされ、その付勢力調整装置（３）は管体（３ａ）と、管体（３ａ）の内部に設置される当接ブロック（３ｂ）、ボルト体（３ｃ）、ワイヤ（３ｄ）及びスプリング（３ｅ）から構成され、管体（３ａ）の一側外周面に長手方向に伸びる長スリット（３ａ′）が形成されると共に、ボルト体（３ｃ）の一側外周面に、長スリット（３ａ′）内に嵌め込まれる凸ブロック（３ｃ′）が設けられ、そのボルト体（３ｃ）に固定ナット（３ｆ）が螺設され、ワイヤ（３ｄ）の一端は当接ブロック（３ｂ）に固定され、他端はスプリング（３ｅ）、ボルト体（３ｃ）を挿通して本体（１）における貫通孔（１ｅ）から突出し、握持部（２）に連結される。
【０００３】
また、使用者が腕力訓練器を使用する時は、本体（１）における上部位置決め板（１ａ）及び下部位置決め板（１ｂ）間に腕部を挿入して、手部で握持部（２）を握持するだけで、スプリング（３ｅ）の付勢力の作用により、握持部（２）で反復運動を行なうことができるので、腕力を増強させることができる。
【０００４】
【発明が解決しようとする課題】
更に、上記従来の腕力訓練器はスプリング（３ｅ）の付勢力レベルを調整する時、固定ナット（３ｆ）を回転させ、長スリット（３ａ′）において凸ブロック（３ｃ′）の位置を変更することによりスプリングの付勢力レベルを調整するが、固定ナット（３ｆ）に対応するボルト体（３ｃ）上におけるネジ山の間隔が狭く且つ距離の長いため、固定ナット（３ｆ）を長時間回転させる必要があり、非常に面倒である。
【０００５】
【課題を解決するための手段】
本発明は、
本体（１０）を有し、本体（１０）の一側に握持部（２０）が上下方向に活動可能に枢設され、本体（１０）の両側における上下部にそれぞれ腕部及び手部を位置決めするための上部位置決め板（１１）及び下部位置決め板（１２）が設けられ、上部位置決め板（１１）上に凸座（１３）が設けられ、凸座（１３）の内部にその長手方向に沿って一方向のみ開口している収納空間（１４）が形成され、その収納空間（１４）の封止端に貫通孔（１４１）が形成され、収納空間（１４）の内部に付勢力調整装置（３０）が組み合わされ、その付勢力調整装置（３０）は管体（３１）と、管体（３１）の内部に設置される当接ブロック（３２）、ワイヤ（３３）及びスプリング（３４）から構成され、ワイヤ（３３）は本体（１０）における貫通孔（１４１）を挿通して、握持部（２０）に連結される腕力訓練器であって、
本体（１０）における凸座（１３）の外周面に、少なくとも長手方向に沿って階段状に調整空間（１６）が形成されると共に、調整空間（１６）内に複数の段階部（１６１）が形成され、各段階部（１６１）にそれぞれ位置決め凹部（１６２）が形成され、
管体（３１）の内部に一方のみ開口している長孔（３１１）が形成され、その長孔（３１１）の開口端の内周面に、中央へ所定幅狭めることによりスプリング（３４）の一端を位置決めする凸縁（３１２）が設けられると共に、凸縁（３１２）が設けられる管体（３１）の外周面に、本体（１０）における調整空間（１６）と対応し、且つ所定幅を有する少なくとも一つの凸ブロック（３１４）が設けられ、その凸ブロック（３１４）は管体（３１）の収納空間（１４）内での移動に連動して、調整空間（１６）内の各段階部（１６１）に位置し、管体（３１）に設けられる凸ブロック（３１４）を常に収納空間（１４）内に位置するために、凸座（１３）における収納空間（１４）の開口端に固定ナット（４０）が螺設されることを特徴とする腕力訓練器、を提供する。
【０００６】
【作用】
本発明は上記の構成を有し、本体を有し、本体の一側に握持部が上下方向に活動可能に枢設され、本体の両側における上下部にそれぞれ腕部及び手部を位置決めするための上部位置決め板及び下部位置決め板が設けられ、上部位置決め板上に凸座が設けられ、凸座の内部にその長手方向に沿って一方向のみ開口している収納空間が形成され、その収納空間の封止端に貫通孔が形成され、収納空間の内部に付勢力調整装置が組み合わされ、その付勢力調整装置は管体と、管体の内部に設置される当接ブロック、ワイヤ及びスプリングから構成され、また、管体の内部に一方のみ開口している長孔が形成され、その長孔の開口端の内周面に、中央へ所定幅狭めることによりスプリングの一端を位置決めする凸縁が設けられると共に、凸縁が設けられる管体の外周面に、本体における調整空間と対応し、且つ所定幅を有する少なくとも一つの凸ブロックが設けられ、その凸ブロックは管体の収納空間内での移動に連動して、調整空間内の各段階部に位置し、また、ワイヤの一端は当接ブロック内に連結され、他端はスプリング及び貫通孔を挿通して、握持部に連結されると共に、固定ナットは凸座における収納空間側の一端に螺設され、この時、管体に設けられる凸ブロックは常に収納空間内に位置している。故に、付勢力レベルを調整する時は、管体を長手方向にやや引張り且つ回転させ、凸ブロックを位置決め凹部から離脱させて調整空間内に開放し、その後、再び希望の段数の位置決め凹部に位置決めすれば、付勢力レベルの調整を行なうことができるので、調整を簡単に且つスピーディーに行なうことができる。
【０００７】
以下、添付図面を参照して本発明の好適な実施の形態を詳細に説明する。
【０００８】
【発明の好適な実施の形態】
図２は本発明に係わる腕力訓練器の分解斜視図であり、図３は本発明に係わる腕力訓練器の付勢力レベルを低くした状態を示す側面断面図であり、図４は本発明に係わる腕力訓練器の作動状態を示す側面断面図であり、図５は本発明に係わる腕力訓練器の平面図であり、図６は本発明に係わる腕力訓練器の付勢力レベルを高くした状態を示す側面断面図である。
【０００９】
図２に示すように、本考案の腕力訓練器は本体（１０）、握持部（２０）、付勢力調整装置（３０）、固定ナット（４０）及びカバー体（５０）等から成り、本体（１０）は略円筒状を成し、その上下部にそれぞれ腕部及び手部を位置決めするための上部位置決め板（１１）及び下部位置決め板（１２）が設けられ、上部位置決め板（１１）の長手方向に凸座（１３）が設けられ、凸座（１３）の内部にその長手方向に沿って一方向のみ開口している収納空間（１４）が形成され、収納空間（１４）の封止端に貫通孔（１４１）が形成され、凸座（１３）における開口部の外周面にネジ山（１４２）が設けられ、凸座（１３）の上面から両側面に亙って適当な深さを有する嵌合部（１５）が形成されると共に、凸座（１３）の外周面に、少なくとも長手方向に沿って階段状に調整空間（１６）が形成され、その調整空間（１６）は図５に示すように、小径部（１５）から露出すると共に、複数の略Ｌ字形の段階部（１６１）が形成され、それらの各段階部（１６１）にそれぞれ位置決め凹部（１６２）が形成され、更に、本体（１０）における、凸座（１３）の両側位置にそれぞれ枢設座（１７）が設けられる。
【００１０】
握持部（２０）はＵ字形のフレーム片（２１）を有し、そのフレーム片（２１）の両端に設けられる二つの脚部（２１１）の間に握持ロッド（２２）が枢設されると共に、フレーム片（２１）の両側にそれぞれ外方へ延出するプレート体（２１２）が設けられ、そのプレート体（２１２）は回動自在に本体（１０）における枢設座（１７）上に枢設され、握持部（２０）の中央上部には連結ブロック（２３）が回動自在に枢設される。
【００１１】
付勢力調整装置（３０）は管体（３１）と、管体（３１）の内部に設置される当接ブロック（３２）、ワイヤ（３３）及びスプリング（３４）から構成され、その内の管体（３１）の内部に一方のみ開口している長孔（３１１）が形成され、その長孔（３１１）の開口端の内周面に、中央へ所定幅狭めることによりスプリング（３４）の一端を位置決めする凸縁（３１２）が設けられると共に、管体（３１）の他端は当接ブロック（３２）、ワイヤ（３３）及びスプリング（３４）などが長孔（３１１）へ挿入された後、蓋部材（３１３）により封止され、この時、スプリング（３４）の一端は凸縁（３１２）により位置決めされる。また、管体（３１）における凸縁（３１２）の外周面は本体（１０）の調整空間（１６）と対応していると共に、所定の幅を有する凸ブロック（３１４）が設けられ、その凸ブロック（３１４）は管体（３１）の収納空間（１４）内での移動に連動して、調整空間（１６）内の各段階部（１６１）に位置し、その後、再び位置決め凹部（１６２）内に位置決めされる。更に、当接ブロック（３２）は蓋部材（３１３）に隣接されると共に、内部に孔（３２１）が形成され、その孔（３２１）にワイヤ（３３）の一端に設けられる係止部（３３１）が嵌め込まれ、ワイヤ（３３）の他端は管体（３１）及び本体（１０）の貫通孔（１４１）に挿通された後、連結ブロック（２３）に連結され、最後にリング部材（２３１）により固定される。
【００１２】
固定ナット（４０）はリング状を成すと共に、内部に円孔（４１）が形成され、また、円孔（４１）は管体（３１）に環装されると共に、外周の適当位置に所定の深さを有するリング溝（４２）が形成され、そのリング溝（４２）の外側面に内ネジ山（４２１）が設けられる。そして、そのリング溝（４２）を凸座（１３）の外ネジ山（１４２）に螺合することにより、固定ナット（４０）を凸座（１３）に取付け、更に、円孔（４１）とリング溝（４２）との間に、収納空間（１４）の内部に位置する当接リング（４３）を設けることにより、管体（３１）における凸ブロック（３１４）の脱離を防止する。
【００１３】
カバー体（５０）は透明であると共に、その周面の長手方向に、カバー体（５０）に弾性による挟持力を具備させるためのスリット（５１）が形成され、そのカバー体（５０）は挟持力によりスリット（５１）が嵌合部（１５）に挟着されることにより、凸座（１３）に組み合わされる。
【００１４】
上述したように、本発明の腕力訓練器を組立てる時は握持部（２０）を本体（１０）上に設け、スプリング（３４）、ワイヤ（３３）及び当接ブロック（３２）などの部材を管体（３１）内に組込むと共に、ワイヤ（３３）の一端における係止部（３３１）を当接ブロック（３２）のレベル孔（３２１）内に係止し、ワイヤ（３３）の他端を管体（３１）に設けられる凸縁（３１２）の一端から延出させ、ピン（３１５）により蓋部材（３１３）を管体（３１）の凸縁（３１２）と異なる端に固設する。その後、固定ナット（４０）を管体（３１）に環装し、管体（３１）に設けられる凸ブロック（３１４）の一端を凸座（１３）における収納空間（１４）内壁面の調整空間（１６）にセットすると共に、固定ナット（４０）を凸座（１３）の側縁における外ネジ山（１４２）に螺設し、最後にワイヤ（３３）における係止部（３３１）と異なる端を握持部（２０）の上面中央における連結ブロック（２３）に連結すれば、全ての組立作業が完了する。
【００１５】
以上、本発明における各部材の連結関係及び位置などに係わる説明である。次に図３乃至図５を参照して本発明の使用方法を説明する。
【００１６】
本発明の腕力訓練器を使用する時は、使用者により体力や年齢がそれぞれ異なるため、使用者の希望に合わせて付勢力調整装置（３０）の付勢力レベルを調整する必要がある。付勢力レベルを調整する時は、管体（３１）を凸座（１３）と異なる方向へ引張るが、この時、ワイヤ（３３）の長さは一定であるため、管体（３１）における凸縁（３１２）に阻止されているスプリング（３４）の一端が凸縁（３１２）の移動と同時に当接ブロック（３２）の方向へ移動してスプリング（３４）全体が縮退すると共に、凸ブロック（３１４）が位置決め凹部（１６２）から離脱して調整空間（１６）の段階部（１６１）内に位置する。この時、管体（３１）を収納空間（１４）の軸方向に回転させると、管体（３１）は開放状態であるので、調整空間（１６）内で自由に調整することができる。その後、付勢力レベル（段数）を決定する時は更に管体（３１）を回転させて凸ブロック（３１４）を希望する位置決め凹部（１６２）の位置に合せ、管体（３１）を元来の位置まで回復させれば、弾性レベルの調整が完了する。
【００１７】
そして、使用者が手腕部を鍛えたい時は、図３及び図６に示すように、腕部を本体（１０）内に挿入して手部で握持部（２０）における握持ロッド（２２）を握持し、更に、握持ロッド（２２）を握持しながら腕力により手部を下方へ振り下ろして握持部（２０）を傾動させ、その後、傾動した握持部（２０）を元来の位置まで回復させる。上記のような動作を使用者の希望する回数行なうことにより、手腕部を鍛える。
【００１８】
また、握持部（２０）を傾動する時は、管体（３１）内のワイヤ（３３）が手部側に引張られるが、ワイヤ（３３）間にはスプリング（３４）が介在し、そのスプリング（３４）の付勢力により、手腕部に戻ろうとする力が働くため、手腕部に負荷がかかり手腕部が鍛えられる。
【００１９】
尚、上述の図２乃至図６に示す腕力訓練器は本発明の一部の形態であり、本明細書に示す範囲内であれば、如何なる形態に構成させてもよいことは言うまでもない
【００２０】
【発明の効果】
本発明は上記の構成を有し、主に各段階部及び位置決め凹部により、付勢力レベルを容易に且つ確実に変更でき、更に、各段階部及び位置決め凹部の上部における、凸座の小径部に透明のカバー体が設けられているので、使用者は現在の付勢力レベルを何時でも確認できると共に、付勢力レベルを確認しながら付勢力レベルの調整を行なうことができる。
【図面の簡単な説明】
【図１】従来の腕力訓練器の分解斜視図である。
【図２】本発明に係わる腕力訓練器の分解斜視図である。
【図３】本発明に係わる腕力訓練器の付勢力レベルを低くした状態を示す側面断面図である。
【図４】本発明に係わる腕力訓練器の作動状態を示す側面断面図である。
【図５】本発明に係わる腕力訓練器の平面図であり、図６は本発明に係わる腕力訓練器の付勢力レベルを高くした状態を示す側面断面図である。
【図６】本発明に係わる腕力訓練器の付勢力レベルを高くした状態を示す側面断面図である。
【符号の説明】
１        本体
１ａ        上部位置決め板
１ｂ        下部位置決め板
１ｃ        凸座
１ｄ        収納空間
１ｅ        貫通孔
１ｆ        ネジ山
２        握持部
３        付勢力調整装置
３ａ        管体
３ａ′        長スリット
３ｂ        当接ブロック
３ｃ        ボルト体
３ｃ′        凸ブロック
３ｄ        ワイヤ
３ｅ        スプリング
３ｆ        固定ナット
１０        本体
１１        上部位置決め板
１２        下部位置決め板
１３        凸座
１４        収納空間
１４１        貫通孔
１４２        外ネジ山
１５        嵌合部
１６        調整空間
１６１        段階部
１６２        位置決め凹部
１７        枢設座
２０        握持部
２１        フレーム片
２１１        脚部
２１２        プレート体
２２        握持ロッド
２３        連結ブロック
２３１        リング部材
３０        付勢力調整装置
３１        管体
３１１        長孔
３１２        凸縁
３１３        蓋部材
３１４        凸ブロック
３１５        ピン
３２        当接ブロック
３２１        孔
３３        ワイヤ
３３１        係止部
３４        スプリング
４０        固定ナット
４１        円孔
４２        リング溝
４２１        内ネジ山
４３        当接リング
５０        カバー体
５１        スリット
【図１】
0003713685.tif 000002
【図２】
0003713685.tif 000003
【図３】
0003713685.tif 000004
【図４】
0003713685.tif 000005
【図５】
0003713685.tif 000006
【図６】
0003713685.tif 000007